(57)【要約】      （修正有）【課題】ロックスクリューが緩んでも調整リングが回転して設定済みの締付トルク値が変更を来たしたり、また現場の作業者が調整リングを悪戯しても簡単には調整リングを回すことができないプリセット型トルクレンチを提供する。【解決手段】調整リング３の後面３ａに螺子孔３ｂを開口する。この螺子孔３ｂに調整リング３の後面３ａの側から螺子５をねじ込む。この螺子５の先端部分５ｂが出入する係止凹部６をレンチ本体１の基端部１ａのパイプエンド１ｂに形成する。この係止凹部６に、締付トルクを調整後、螺子５の先端部分５ｂを侵入させて調整リング３の回転を防止可能に形成する。【選択図】図１
0003150005.tif 000002
【実用新案登録請求の範囲】
【請求項１】
パイプ状のレンチ本体の軸心位置に締付トルク設定用の調整螺子がレンチ本体の軸心に沿って設けられ、この調整螺子を回転操作して締付トルクを設定するための調整リングがレンチ本体の基端部に設けられ、この調整リングをレンチ本体の基端部に固定するためのロックスクリューが調整リングの後面側に設けられているプリセット型トルクレンチであって、上記の調整リングの後面に螺子孔が開口され、この螺子孔に調整リングの後面の側から螺子がねじ込まれ、この螺子の先端部分が出入する係止凹部が上記のレンチ本体の基端部のパイプエンドに形成され、この係止凹部に、締付トルクを調整後、螺子の先端部分を侵入させて調整リングの回転が防止可能に形成されていることを特徴とするプリセット型トルクレンチ。
【請求項２】
請求項１記載のプリセット型トルクレンチであって、係止凹部が、調整リングの前側の外面に調整リングの軸心を中心に環状に付されているトルク設定用目盛に対応してパイプエンドの周方向にわたって等間隔に複数形成され、また螺子孔がトルク設定用目盛に対応して一個形成されていることを特徴とするプリセット型トルクレンチ。
【請求項３】
請求項１又は２記載のプリセット型トルクレンチであって、ロックスクリューで調整リングの後面に押し付けられて螺子の頭部を遮蔽すると共に、螺子の抜脱を防止するための目隠し板を備えて形成されていることを特徴とするプリセット型トルクレンチ。
【請求項４】
請求項３記載のプリセット型トルクレンチであって、目隠し板が、ロックスクリューの軸に通されて軸を中心に回転可能に形成されると共に、螺子の頭部に対応する位置に、目隠し板を介して螺子を回転操作するための開口部が形成されていることを特徴とするプリセット型トルクレンチ。
【考案の詳細な説明】
【技術分野】
【０００１】
本考案は、トルクレンチに関し、更に詳しくは設定した締付トルク値に至るとトルクが解放するよう形成されているプリセット型トルクレンチに関するものである。
【背景技術】
【０００２】
従来、この種のトルクレンチとしては、例えば特許文献１に記載されているものが知られている。
この従来品は、パイプ状のレンチ本体の軸心位置に締付トルク設定用の調整螺子を備え、この調整螺子を回転操作してトルク値を設定するための調整リングがレンチ本体の基端部に設けられ、この調整リングをレンチ本体の後端に固定するためのロックスクリュー（ロック螺子）が、調整リングの後面側に設けられているものである。
【０００３】
ところで、この種のレンチは、作業時にロックスクリューが周辺の工作物等に触れて緩むことがある。また作業者はレンチ本体の基端部よりの箇所を把持して操作するため、手が調整リングに触れるのを避けられない。そのためこの種のレンチは、作業者が気付かないうちに調整リングが回って締付トルク値が変更を来たすことがある。
【０００４】
また現場の作業者によっては、勝手に調整リングを回し、締付トルク値を悪戯して変更することがある。
従ってこの種のレンチは、ロックスクリューが緩んでも、設定した当初の締付トルク値が変わらないよう、また作業者が悪戯しても調整リングを簡単に回すことができないよう形成されているのが望ましい。
【先行技術文献】
【特許文献】
【０００５】
【特許文献１】特開２０００−２０２７８０号公報
【考案の概要】
【考案が解決しようとする課題】
【０００６】
本考案は、このような従来品の問題点に鑑み、提案されたものである。
従って本考案が解決しようとする技術的課題は、ロックスクリューが緩んでも調整リングが回転して設定済みの締付トルク値が変更を来たしたり、また現場の作業者が調整リングを悪戯しても簡単には調整リングを回すことができないよう形成したプリセット型トルクレンチを提供することにある。
【課題を解決するための手段】
【０００７】
本考案は、上記の課題を解決するため、次のような技術的手段を採る。
即ち本考案のトルクレンチは、図１等に示されるように、パイプ状のレンチ本体１の軸心位置に締付トルク設定用の調整螺子２がレンチ本体１の軸心に沿って設けられ、この調整螺子２を回転操作して締付トルクを設定するための調整リング３がレンチ本体１の基端部１ａに設けられ、この調整リング３をレンチ本体１の基端部１ａに固定するためのロックスクリュー７が調整リング３の後面３ａ側に設けられているプリセット型トルクレンチであって、上記の調整リング３の後面３ａに螺子孔３ｂが開口され、この螺子孔３ｂに調整リング３の後面３ａの側から螺子５がねじ込まれ、この螺子５の先端部分５ｂが出入する係止凹部６が上記のレンチ本体１の基端部１ａのパイプエンド１ｂに形成され、この係止凹部６に、締付トルクを調整後、螺子５の先端部分５ｂを侵入させて調整リング３の回転が防止可能に形成されていることを特徴とする（請求項１）。
【０００８】
ここで、螺子５には、ボルトも含まれる。また本考案の場合、螺子５は、頭部５ｃに六角穴や四角穴等が形成されているものが好ましいが、これに限定されるものではなく、その種類は任意である。また螺子５は、係止凹部６に差し込まれる先端部分５ｂの側が所定の長さだけ（例えば２ｍｍ程度）、ねじ山が省略されているのでも良い。螺子孔３ｂは、螺子５の形状に合わせて螺子５の頭部５ｃまで収納可能な形状に形成されるのが良い。また係止凹部６は、例えば切り欠き状、孔状、或いは溝状に形成されることで実現される。
【０００９】
また本考案は、係止凹部６が、調整リング３の前側の外面に調整リング３の軸心を中心に環状に付されているトルク設定用目盛４に対応してパイプエンド１ｂの周方向にわたって等間隔に複数形成され、また螺子孔３ｂがトルク設定用目盛４に対応して一個形成されているのが好ましい（請求項２）。
なぜならこれによると、調整リング３を、トルク設定用目盛４と係止凹部６とを合わせてレンチ本体１の基端部１ａに取り付けることにより、調整リング３を目盛４に合わせて回転させると、螺子孔３ｂが目盛４の位置に配置され、螺子孔３ｂと係止凹部６との位置合わせを容易化できるからである。またこれによると、螺子孔３ｂが単数であるため、その分、螺子孔３ｂの形成が楽になり、加工コストを低減化できるからである。
【００１０】
また本考案は、ロックスクリュー７で調整リング３の後面３ａに押し付けられて螺子５の頭部５ｃを遮蔽すると共に、螺子５の抜脱を防止するための目隠し板８を備えて形成されているのが好ましい（請求項３）。
なぜならこれによると、螺子５を隠すことができるため、螺子５の悪戯を防止でき、また螺子５の抜け落ちを防止できるからである。
【００１１】
またこの場合本考案は、目隠し板８が、ロックスクリュー７の軸７ａに通されて軸７ａを中心に回転可能に形成されると共に、螺子５の頭部５ｃに対応する位置に、目隠し板８を介して螺子５を回転操作するための開口部８ａが形成されているのが好ましい（請求項４）。
なぜならこれによると、螺子５を隠すことができながら、必要に応じて目隠し板８を回して開口部８ａを螺子５の頭部５ｃに合わせることにより、螺子５を、簡単、迅速に締め付け緩め操作できるからである。
【考案の効果】
【００１２】
本考案は、このように調整リングの後面に螺子孔が開口され、この螺子孔に調整リングの後面の側から螺子がねじ込まれ、この螺子の先端部分が出入する係止凹部がレンチ本体の基端部のパイプエンドに形成され、この係止凹部に、締付トルクを調整後、螺子の先端部分を侵入させて調整リングの回転を防止可能に形成しているものである。
従って本考案によると、ロックスクリューが緩んでも調整リングが回転して締付トルク値が変更を来たしたり、また現場の作業者が調整リングを悪戯しても簡単には締付トルク値を変更することができない、という実用上優れた効果を奏する。
【図面の簡単な説明】
【００１３】
【図１】本考案品の要部分解斜視図である。
【図２】本考案品の要部分解側面図である。
【図３】本考案品の要部縦断面図である。
【図４】Ａは本考案品の要部側面図、ＢはＡの右側面図である。
【図５】Ａは調整リングの平面図、ＢはＡの底面図である。
【図６】Ａは目隠し板の側面図、ＢはＡの右側面図である。
【図７】本考案品の平面図である。
【図８】本考案品の側面図である。
【考案を実施するための形態】
【００１４】
以下、本考案の好適な一実施形態を添付図面に従って説明する。
本考案品は、パイプ状のレンチ本体１の軸心位置に、締付トルク設定用の調整螺子２がレンチ本体１の軸心に沿って設けられている。
【００１５】
３は、調整螺子２を回転操作して締付トルクを設定するための調整リングである。この調整リング３は、レンチ本体１の基端部１ａに設けられている。また本考案品は、この調整リング３の後面３ａに螺子孔３ｂが開口されている。この螺子孔３ｂは、調整リング３の軸心周りで、レンチ本体１のパイプエンド１ｂと対向する位置に、この実施形態では一個形成されている。また螺子孔３ｂは、この実施形態では調整リング３の前側の外面に調整リング３の軸心を中心に環状に付されているトルク設定用目盛４（図２、図５Ａ等参照）に対応し、目盛４の「０」の位置に形成されている。
【００１６】
５は、上記の螺子孔３ｂに調整リング３の後面３ａの側からねじ込まれる螺子である。この螺子５は、ねじ山が付けられた軸部５ａと、この軸部５ａより径が縮小された先端部分５ｂとで形成されている。そして螺子５の頭部５ｃには、ねじ込み操作用の六角穴が付けられ、先端部分５ｂは約２ｍｍ程度に形成され、この先端部分５ｂはねじ山が省略されている。
【００１７】
また本考案品は、螺子５の先端部分５ｂが出入する係止凹部６が、上記のレンチ本体１の基端部１ａのパイプエンド１ｂに形成されている。本考案品は、係止凹部６に、締付トルクの調整後、螺子５の先端部分５ｂを侵入させることにより、調整リング３の回転が防止されるものである。係止凹部６は、この実施形態では切り欠き状に形成され、上記のトルク設定用目盛４に対応してパイプエンド１ｂの周方向にわたって等間隔に複数形成されている。
【００１８】
また７は、調整リング３をレンチ本体１の基端部１ａに固定するためのロックスクリューである。このロックスクリュー７は、軸７ａが調整螺子２の端部２ａにねじ込み自在に形成され、調整リング３の後面３ａ側に設けられている。
【００１９】
またこの実施形態の本考案品は、ロックスクリュー７で調整リング３の後面３ａに押し付けられて螺子５の頭部５ｃを遮蔽すると共に、螺子５の抜脱を防止するための目隠し板８を備えて形成されている。この目隠し板８は、ロックスクリュー７の軸７ａに通されて軸７ａを中心に回転可能にリング状に形成されている。また目隠し板８は、螺子５の頭部５ｃに対応する位置に、目隠し板８を介して螺子５を回転操作するための開口部８ａが形成されている。この開口部８ａは、この実施形態では９０度おきに計４個内周縁に切り欠き状に形成されている。
【００２０】
次に本考案品の作用を説明する。
調整リング３の固定は、作業者が螺子５をねじ込み、先端部分５ｂを係止凹部６に侵入させることで実現される。この場合、この実施形態では目隠し板８を少し回して開口部８ａを螺子５の頭部５ｃに合わせ、開口部８ａからドライバー等の工具を差し入れて螺子５を締め付けて行う。螺子５がねじ込まれると、その先端部分５ｂが係止凹部６に入り込み、調整リング３の回転が防止されるものである。螺子５を締め込んだ後は、目隠し板８を少し回して開口部８ａをずらし、螺子５の頭部５ｃを隠してから、ロックスクリュー７をねじ込んで目隠し板８を調整リング３の後面３ａに固定する。
なお、締付トルク値の変更は、上例と逆に操作し、螺子５を緩めて先端部分５ｂを係止凹部６から抜き取ることで可能になる。
【符号の説明】
【００２１】
１    レンチ本体
１ａ  基端部
１ｂ  パイプエンド
２    調整螺子
３    調整リング
３ａ  後面
３ｂ  螺子孔
５    螺子
５ｂ  先端部分
６    係止凹部
７    ロックスクリュー
【図１】
0003150005.tif 000003
【図２】
0003150005.tif 000004
【図３】
0003150005.tif 000005
【図４】
0003150005.tif 000006
【図５】
0003150005.tif 000007
【図６】
0003150005.tif 000008
【図７】
0003150005.tif 000009
【図８】
0003150005.tif 000010